(57)【要約】【課題】クリームやオイルを併用して施術するマッサージに好適であって、微妙な力の調整が可能なマッサージ用具を提供する。【解決手段】本考案のマッサージ用具は、指サック型のマッサージ用具であって、一端が閉塞し他端が開口する指サック本体３と、指サック本体３の表面において、指の第一関節から先端の間の領域に対応する位置に設けられた複数の突起５と、を備える。指サック本体３および各突起５は、シリコン製である。また、指サック本体３の開口側の側面に、凹凸によって表現された模様を有する。【選択図】図１
0003204097.tif 000002
【実用新案登録請求の範囲】
【請求項１】
指サック型のマッサージ用具であって、
一端が閉塞し他端が開口する指サック本体と、
前記指サック本体の表面において、指の第一関節から先端の間の領域に対応する位置に設けられた複数の突起と、を備えることを特徴とするマッサージ用具。
【請求項２】
前記指サック本体および前記各突起は、シリコン製であることを特徴とする請求項１記載のマッサージ用具。
【請求項３】
前記指サック本体の開口側の側面に、凹凸によって表現された模様を有することを特徴とする請求項１または請求項２記載のマッサージ用具。
【考案の詳細な説明】
【技術分野】
【０００１】
本考案は、皮膚をこすって汚れを落としたり、新陳代謝を活発化させたりするためのマッサージ用具に関する。
【背景技術】
【０００２】
従来から、皮膚をこするためのマッサージ用具が提案されている。例えば、特許文献１には、ユーザの手に装着されるグローブ本体と、グローブ本体の外面上に取り付けられる面状電極と、制御装置とを備えたマッサージ用具が開示されている。このマッサージ用具では、面状電極は、グローブ本体の上において、一方の電極がユーザの手の平の側の親指の全面を覆うように配置されており、他方の電極がユーザの手の平の側の親指以外の４本の指の各々の全面を覆うように配置されている。制御装置は、電源等を有しており、その電源に電気的に接続されている面状電極にかけられている交流電圧、およびその交流電圧によってユーザの身体に流れる交流電流の周波数を調整することができる。また、面状電極は、銀粉を含むシリコン樹脂であり、交流電圧をかけながらのマッサージの際にユーザは不快感を伴うことなく疲労回復、美顔等の効果を得ることができる。
【先行技術文献】
【特許文献】
【０００３】
【特許文献１】特開２０１２−１５２３５２号公報
【考案の概要】
【考案が解決しようとする課題】
【０００４】
しかしながら、特許文献１記載の技術では、電流を流すため、クリームやオイルを併用して施術するクレンジングには好適ではない。また、グローブ本体を手に装着するため、微妙な力の調整を必要とするフェイシャルマッサージにはなじまない。
【０００５】
本考案は、このような事情に鑑みてなされたものであり、クリームやオイルを併用して施術するマッサージに好適であって、微妙な力の調整が可能なマッサージ用具を提供することを目的とする。
【課題を解決するための手段】
【０００６】
（１）上記の目的を達成するために、本考案は、以下のような手段を講じた。すなわち、本考案のマッサージ用具は、指サック型のマッサージ用具であって、一端が閉塞し他端が開口する指サック本体と、前記指サック本体の表面において、指の第一関節から先端の間の領域に対応する位置に設けられた複数の突起と、を備えることを特徴とする。
【０００７】
このように、指サック本体の表面において、指の第一関節から先端の間の領域に対応する位置に設けられた複数の突起を有するので、施術者が指先の微妙な力加減を調整しながらマッサージを行なうことが可能となる。これにより、被施術者にとっては、心地よいスキンタッチが得られ、クレンジング効果や新陳代謝の活性化と共に、複数の突起による快い刺激により、心身共にリラクセーション効果がもたらされる。
【０００８】
（２）また、本考案のマッサージ用具において、前記指サック本体および前記各突起は、シリコン製であることを特徴とする。
【０００９】
このように、指サック本体および前記各突起は、シリコン製であることから、皮膚に対して適切な刺激を与えることができると共に、クリームやオイルを有効に活用する事が可能となる。
【００１０】
（３）また、本考案のマッサージ用具は、前記指サック本体の開口側の側面に、凹凸によって表現された模様を有することを特徴とする。
【００１１】
このように、指サック本体の開口側の側面に、凹凸によって表現された模様を有するので、審美性を高めることができる。
【考案の効果】
【００１２】
本考案によれば、マッサージの効果やリラクセーション効果を高めることが可能となる。
【図面の簡単な説明】
【００１３】
【図１】本実施形態に係るマッサージ用具の概要を示す図である。
【図２】本実施形態に係るマッサージ用具の概要を他の方向から示した図である。
【図３】本実施形態に係るマッサージ用具の概要を他の方向から示した図である。
【図４】本実施形態に係るマッサージ用具の概要を他の方向から示した図である。
【考案を実施するための形態】
【００１４】
本考案者は、マッサージの効果をより高めるために、突起やブラシを用いたマッサージに着目し、指先にマッサージ用具を装着可能とすることで、より繊細で有効なマッサージができることを見出し、本考案に至った。
【００１５】
すなわち、本考案のマッサージ用具は、指サック型のマッサージ用具であって、一端が閉塞し他端が開口する指サック本体と、前記指サック本体の表面において、指の第一関節から先端の間の領域に対応する位置に設けられた複数の突起と、を備えることを特徴とする。
【００１６】
これにより、本考案者は、施術者が指先の微妙な力加減を調整しながらマッサージを行なうことを可能とした。これにより、被施術者にとっては、心地よいスキンタッチが得られ、クレンジング効果や新陳代謝の活性化と共に、複数の突起による快い刺激により、心身共にリラクセーション効果がもたらされることを可能とした。
【００１７】
一般的にマッサージには、３つの効果があると言われている。すなわち、（１）血行を良くし、冷え性を緩和する、（２）筋肉をほぐし、しなやかな体質が得られる、（３）老廃物や余分な水分の排出を促進させ、むくみを改善する、である。
【００１８】
本考案に係るマッサージ用具は、指先に装着することができるため、施術者は、複数の突起を用いた刺激を被施術者に与えることができ、皮膚表面とその下にある筋肉にまで刺激を与えて、血液やリンパ液の流れを促すことが可能である。さらに、新陳代謝を活発化させ、老廃物の排泄を促したり、皮膚に有効な栄養素や美容成分の浸透を助けたりすることが可能となる。その結果、被施術者にとっては、小顔や美肌を獲得するにつながる。
【００１９】
図１から図４は、本実施形態に係るマッサージ用具の概要を示す図である。このマッサージ用具１は、指サック本体３の表面に、複数の突起５が設けられている。この複数の突起５は、指の第１関節から先端との間の領域に、楕円を描くように密集している。各突起５の幅は、好ましくは０．５ｍｍであり、各突起５の高さは、好ましくは２ｍｍである。また、各突起５同士の間隔は、０．５ｍｍである。各突起５の先端は、角がなく球状となっている。また、指サック本体３および各突起５は、シリコンで成形されることが望ましい。
【００２０】
指サック本体３は開口部３ａを有しており、ユーザは、開口部３ａを介してマッサージ用具１を指に着脱することができる。また、指サック本体３の開口部３ａ側の表面には、花柄の模様７が設けられている。花柄の模様７は、凹凸により表現されているため、オイルやクリームによって消滅することはない。
【００２１】
次に、本実施形態に係るマッサージ用具の使用例について説明する。施術者が、例えば、両手の中指、薬指に、それぞれマッサージ用具１を装着する。次に、適温に保持されたクレンジングやマッサージ用のクリーム、オイル、またはジェル等を手に取り、被施術者の顔全体、首に伸ばす。次に、施術者は、各マッサージ用具１を被施術者の顔に当てて、顔の下から上の方向や、中から外の方向へ円を描きながら動かしていく。ここで、「ゴシゴシこする」のではなく、なでるようにすると効果的である。
【００２２】
次に、被施術者の首側面を、リンパに沿って、下から上の方向へ円を描くようにしながら、マッサージ用具１を動かす。左右均等に行なった後で、ぬるま湯を用いてクレンジングやマッサージ用のクリーム、オイル、またはジェル等を洗い流す。
【００２３】
このように、本考案に係るマッサージ用具１によれば、指サック本体３の表面において、指の第一関節から先端の間の領域に対応する位置に設けられた複数の突起５を有するので、施術者が指先の微妙な力加減を調整しながらマッサージを行なうことが可能となる。これにより、被施術者にとっては、心地よいスキンタッチが得られ、クレンジング効果や新陳代謝の活性化と共に、複数の突起による快い刺激により、心身共にリラクセーション効果がもたらされる。
【符号の説明】
【００２４】
１  マッサージ用具
３  指サック本体
３ａ  開口部
５  突起
７  模様
【図１】
0003204097.tif 000003
【図２】
0003204097.tif 000004
【図３】
0003204097.tif 000005
【図４】
0003204097.tif 000006